(57)【要約】【課題】既存のカップ部材を利用して避雷器本体との隙間をなくすことにより、大きくコストアップすることを回避しつつ、そのカップ部材内部への異物の侵入を制限して、地絡事故の発生の虞の少ない避雷器を提供すること。【解決手段】配電線に接続されて侵入する落雷を接地側に逃がす機能を備える避雷器に取り付けるカバー部材１０であって、避雷器は配電線からの線路側電線Ｄを接続する避雷器本体部１０１側の接続金具１０２を覆うように形成されたカップ部材１１０を備えており、この避雷器に対して、避雷器本体部１０１の円盤形状１０１ａの上面１０１ｂとカップ部材１１０の開口端部１１０ａとの対面箇所に形成される隙間付近を覆うことのできる周回形状に形成されて設置される。【選択図】図１
2007281335.tif 000002
【特許請求の範囲】
【請求項１】
配電線に接続されて侵入する落雷を接地側に逃がす機能を備える避雷器に取り付けるカバー部材であって、
避雷器は、配電線からの線路側電線を接続する避雷器本体側の接続部を覆うように形成されたカップ部材を備えており、
この避雷器に対して、避雷器本体とカップ部材の端部との対面箇所付近の双方を覆うことのできる周回形状に形成されて設置されていることを特徴とするカバー部材。
【請求項２】
前記避雷器本体とカップ部材の端部の双方の外面を覆う帯状の周回形状に形成されているとともに、
該周回形状の内面に、避雷器本体とカップ部材の端部との間に介在するように突出する介在部を有することを特徴とする請求項１に記載のカバー部材。
【請求項３】
前記周回形状は、端部を有する帯状に形成されて、当該端部が重なる状態になるように形成されていることを特徴とする請求項１または２に記載のカバー部材。
【請求項４】
配電線に接続されて侵入する落雷を接地側に逃がす機能を備える避雷器であって、
配電線からの線路側電線を接続する避雷器本体側の接続部を覆うように形成されたカップ部材を備えており、
上記請求項１から３のいずれかに記載のカバー部材が設置されていることを特徴とする避雷器。
【発明の詳細な説明】
【技術分野】
【０００１】
本発明は、カバー部材に関し、詳しくは、避雷器に接続する線路側電線との接続部を覆うように設置されるカップ部材内に、導通材料などが誤って侵入して地絡短絡事故などを起こしてしまうことを未然に防止するものに関する。
【背景技術】
【０００２】
従来より、配電線に侵入する落雷電流が負荷側に流れてしまうことを防止するために、落雷などの異常高電圧電流を接地側に逃がす機能を備える避雷器を配電線に接続することが行なわれている。
【０００３】
この避雷器を接続する配電線からの線路側電線との接続部は、配電線に導通接続する線路側電線の導電部分を接続することから高電圧がそのまま露出しており、不用意に触れてしまうと感電してしまう。このため、この避雷器は、線路側電線との接続部を覆うカップ部材が一般的には取り付けられているが、その避雷器本体の外面とカップ部材の端部との間には、多少の隙間ができてしまう。その隙間に、金属製の腕金に止まる鳥などが摘んできた枝や金属製のハンガーなどが入り込んでしまうと地絡事故になってしまう場合もある。
【０００４】
このような事故を防止しようとすると、例えば、図６に示すように、そのカップ部材を内装する状態で避雷器の上部を覆うように形成された、所謂、アレスターキャップ２００を被せることが考えられる（例えば、特許文献１参照）。なお、このアレスターキャップ２００は、避雷器上部などを覆うキャップ本体２０１の下部に、その避雷器本体の円盤形状部の外周円弧面に係合させる窪み形状２０２が多段に形成されており、その円盤形状部の外周円弧面の外径に応じて係合させる窪み形状２０２を選択して切り離すことにより利用するようになっている。
【特許文献１】特開平６−１８１０１９号公報
【発明の開示】
【発明が解決しようとする課題】
【０００５】
しかしながら、このアレスターキャップ２００は、カップ部材を覆うほどの大型で高価であるとともに、既設のものに取り付ける場合には、カップ部材と同様に、線路側電線を内部に差し込む必要があることから、送電を停止するなどして、線路側電線を避雷器本体に再度接続するなどの作業が必要になってしまう、という課題があった。
【０００６】
そこで、本発明は、既存のカップ部材を利用して避雷器本体との隙間を簡易かつ容易になくすことにより、大きくコストアップすることを回避しつつ、そのカップ部材内部への異物の侵入を制限して、地絡事故の発生の虞の少ない避雷器を安価に提供することを目的とする。
【課題を解決するための手段】
【０００７】
上記課題を解決するカバー部材の第１の発明は、配電線に接続されて侵入する落雷を接地側に逃がす機能を備える避雷器に取り付けるカバー部材であって、避雷器は、配電線からの線路側電線を接続する避雷器本体側の接続部を覆うように形成されたカップ部材を備えており、この避雷器に対して、避雷器本体とカップ部材の端部との対面箇所付近の双方を覆うことのできる周回形状に形成されて設置されていることを特徴とするものである。
【０００８】
この発明では、避雷器本体上部の接続部を覆うカップ部材端部とその避雷器本体上部の対面箇所付近が周回形状のカバー部材により覆われて、そのカップ部材端部と避雷器本体上部の間に形成される隙間が覆われる。したがって、カップ部材端部と避雷器本体との間の小さな隙間に異物の先端が偶然に差し込まれてそのカップ部材の内部に侵入してしまうことを防止することができる。
【０００９】
上記課題を解決するカバー部材の第２の発明は、上記第１の発明の特定事項に加え、前記避雷器本体とカップ部材の端部の双方の外面を覆う帯状の周回形状に形成されているとともに、該周回形状の内面に、避雷器本体とカップ部材の端部との間に介在するように突出する介在部を有することを特徴とするものである。
【００１０】
この発明では、避雷器本体上部とカップ部材端部の双方の外面を覆う周回形状のカバー部材の内面の介在部を、その避雷器本体上部とカップ部材端部の間に進入させることができ、その介在部が避雷器本体上部にカップ部材端部の荷重により押し付けられる状態にして取り付けることができる。したがって、カップ部材端部と避雷器本体の外面側でカバー部材が容易に動いて隙間が露出することにより異物がカップ部材内に侵入しまうことを防止することができるとともに、そのカップ部材端部と避雷器本体の外面が略平行な避雷器でもカバー部材を取り付けることができる。
【００１１】
上記課題を解決するカバー部材の第３の発明は、上記第１または第２の発明の特定事項に加え、前記周回形状は、端部を有する帯状に形成されて、当該端部が重なる状態になるように形成されていることを特徴とするものである。
【００１２】
この発明では、帯状の端部間を拡開させることにより、避雷器本体上部とカップ部材端部の対面箇所付近を覆う状態にしつつ、その端部同士が重なる周回形状にして取り付けることができる。したがって、線路側電線やカップ部材を避雷器本体から外すことなく、また、端部同士の間に隙間を露出させることなく、カバー部材を取り付けることができ、既存の避雷器にもカバー部材を取り付けることができる。
【００１３】
上記課題を解決する避雷器の第１の発明は、配電線に接続されて侵入する落雷を接地側に逃がす機能を備える避雷器であって、配電線からの線路側電線を接続する避雷器本体側の接続部を覆うように形成されたカップ部材を備えており、上記の第１から第３のいずれかの発明のカバー部材が設置されていることを特徴とするものである。
【００１４】
この発明では、上記発明による作用効果を得ることができ、避雷器本体上部の接続部を覆うカップ部材の端部との間に形成される隙間をカバー部材により覆うことができ、そのカップ部材端部と避雷器本体との間の小さな隙間に異物の先端が偶然に差し込まれてカップ部材の内部に侵入してしまうことを防止することができる。したがって、既存のカップ部材を利用しつつ避雷器本体との間に隙間が露出した状態になることを回避することができる。
【発明の効果】
【００１５】
このように本発明によれば、カップ部材をそのまま利用して避雷器上部に周回形状のカバー部材を取り付けるだけで、そのカップ部材端部と避雷器本体上部の間に形成される隙間を覆うことができ、その小さな隙間に異物の先端が侵入して避雷器本体の接続部に導通接触して地絡短絡事故などを発生させてしまうことを未然に回避することができる。したがって、既存のカップ部材を利用して地絡事故の発生の虞の少ない避雷器とすることができ、低コストに安全性を向上させることができる。
【発明を実施するための最良の形態】
【００１６】
以下、本発明の最良の実施形態を図面に基づいて説明する。図１〜図５は本発明に係るカバー部材を取り付ける避雷器の一実施形態を示す図である。
【００１７】
図１において、避雷器１００は、本体部１０１の上部に取り付けるカップ部材１１０と、このカップ部材１１０と本体部１０１上部との間の境界（対面箇所）付近にカバー部材１０が設置されており、このカバー部材１０は、絶縁性を有する樹脂材料を射出成形などすることにより帯状に周回するリング形状（周回形状）に作製されている。
【００１８】
ここで、避雷器１００は、図５に示すように、外装部分が碍子により作製されて大容量バリスタなどの不図示の機能部を内蔵する本体部１０１と、この本体部１０１の上部側に配設されている接続金具（接続部）１０２と、本体部１０１の下部側に配設されている接地金具１０３と、本体部１０１の胴部に金具１０４ａが取り付けられるとともに電柱上部の腕金に金具１０４ｂが設置されることによりその本体部１０１を支持する取付金具１０４と、を備えている。この構成により、避雷器１００は、取付金具１０４により電柱上部の腕金に取り付け支持されており、接続金具１０２には配電線からの線路側電線Ｃの被覆を剥いだ状態の導通線Ｄがネジ１０２ａにより接続・固定されているとともに、接地金具１０３には接地されている不図示のアース線の導通線に接続した圧着端子などがネジ止め接続されている。
【００１９】
この避雷器１００は、負荷側に供給する定常電流の場合には機能することなく、配電線に落雷が侵入してきたときに、その落雷などにより発生する異常高電圧電流を接地側に逃がすことにより、負荷装置が落雷により破損などしてしまうことを回避することができるように設計されている。
【００２０】
また、この避雷器１００は、接続金具１０２には配電線からの線路側電線Ｃが接続されて常時供給電圧が印加されている状態であるので、不用意に触れてしまうと感電事故や地絡事故が発生することから、その本体部１０１上部の円盤形状１０１ａの上面（外面）１０１ｂから接続金具１０２までをすっぽり覆うことができる碍子製のカップ部材１１０を被せるようになっている。このカップ部材１１０は、そのカップ形状の底面（使用時には天井面）に線路側電線Ｃを差込・挿通する貫通穴（差込穴）１１１が形成されているとともに、その貫通穴１１１にはキャップ部材１１２を嵌着して線路側電線Ｃとの間の隙間をなくすようになっている。
【００２１】
これに対して、カバー部材１０は、図２〜図４に示すように、上側がカップ部材１１０の開口端部１１０ａの外径と略同等の内径となる内面を有する概略円筒形状のリング形状に形成されているとともに、下側は避雷器１００の本体部１０１上部の円盤形状１０１ａの上面１０１ｂに沿うように下方が拡開する概略円錐台形状となるリング形状に形成されており、この上側円筒形状部１１と下側円錐台形状部１２との間には、周方向に延在しつつ内方に板状に突出する円盤形状部１３が一体成形されている。
【００２２】
これにより、図１に戻って、カバー部材１０は、上側円筒形状部１１がカップ部材１１０の開口端部１１０ａ外面の周回方向を覆うとともに、下側円錐台形状部１２が避雷器１００の本体部１０１上部の円盤形状１０１ａの上面１０１ｂの周回方向を覆うことができる。また、カバー部材１０は、円盤形状部１３がそのカップ部材１１０の開口端部１１０ａと避雷器１００の円盤形状１０１ａの上面１０１ｂとの間に挟まれるように介在（進入）して、そのカップ部材１１０の重さにより上方にずれてしまうことがない。このため、カバー部材１０は、カップ部材１１０の開口端部１１０ａと避雷器１００の円盤形状１０１ａの上面１０１ｂとの対面箇所に形成される隙間Ｇ（図５を参照）付近を確実に覆うことができる。
【００２３】
また、このカバー部材１０は、特に図４に示すように、上側円筒形状部１１、下側円錐台形状部１２および円盤形状部１３の幅方向に割り１４が入れられており、この割り１４は、上側円筒形状部１１および下側円錐台形状部１２の外面と内面との間で周回方向に連続するように入れられて、それぞれの外面側端部１１ａ、１２ａと内面側端部１１ｂ、１２ｂが重なるように形成されている。
【００２４】
これにより、このカバー部材１０は、上側円筒形状部１１、下側円錐台形状部１２および円盤形状部１３の割り１４を拡開させて樹脂材料の弾性力により弾性復帰させることにより、電柱に既に設置されている避雷器１００でも、その円盤形状１０１ａの上面１０１ｂとカップ部材１１０の開口端部１１０ａとの間に円盤形状部１３を挟み込む状態に取り付けることができ、この割り１４は、上側円筒形状部１１および下側円錐台形状部１２の外面側端部１１ａ、１２ａと内面側端部１１ｂ、１２ｂが重なるので、異物が差し込み可能な隙間を開口させてしまうことがない。
【００２５】
このように本実施形態においては、避雷器１００の円盤形状１０１ａの上面１０１ｂとカップ部材１１０の開口端部１１０ａとの間に形成される隙間Ｇを覆うようにカバー部材１０をずれないように取り付けることができ、電柱上部の金属製の腕金に止まる鳥などが摘んできた枝や金属製のハンガーなどがその隙間Ｇに偶然に入り込んで避雷器１００の接続金具１０２に接触するなどして地絡事故が発生してしまうことを未然に防止することができる。したがって、既存のカップ部材１１０を利用して地絡事故の発生の虞の少ない避雷器１００とすることができ、低コストに安全性を向上させることができる。
【産業上の利用可能性】
【００２６】
これまで本発明の一実施形態について説明したが、本発明は上述の実施形態に限定されず、その技術的思想の範囲内において種々異なる形態にて実施されてよいことは言うまでもない。
【図面の簡単な説明】
【００２７】
【図１】本発明に係るカバー部材を取り付けた避雷器の一実施形態を示す図であり、その概略構成を示す一部断面拡大立面図である。
【図２】そのカバー部材の概略全体構成を示す斜視図である。
【図３】そのカバー部材の概略全体構成を示す縦断面図である。
【図４】そのカバー部材の概略全体構成を示す図であり、（ａ）はその平面図、（ｂ）はその割り部分の縦断面図である。
【図５】そのカバー部材を取り付ける避雷器の概略全体構成を示す立面図である。
【図６】その避雷器の上部側をカバーする場合に用いる一例のアレスターキャップを示す下方から見た斜視図である。
【符号の説明】
【００２８】
１０……カバー部材    １１……上側円筒形状部    １１ａ、１２ａ……外面側端部    １１ｂ、１２ｂ……内面側端部    １２……下側円錐台形状部    １３……円盤形状部    １４……割り    １００……避雷器    １０１ａ……円盤形状    １０１ｂ……上面    １０１……本体部    １０２……接続金具    １０３……接地金具    １０４……取付金具    １１０……カップ部材    １１０ａ……開口端部    １１１……貫通穴    １１２……キャップ部材    ２００……アレスターキャップ    Ｃ……線路側電線    Ｄ……導通線    Ｇ……隙間
【図１】
2007281335.tif 000003
【図２】
2007281335.tif 000004
【図３】
2007281335.tif 000005
【図４】
2007281335.tif 000006
【図５】
2007281335.tif 000007
【図６】
2007281335.tif 000008